(57)【要約】【課題】ＣＯ２給湯器のハウジング内に収納された機器類の保守点検を容易にし、かつハウジングの製造コストを低減する。また、側面パネルの損傷及び錆の発生を低減する。【解決手段】ハウジング１２を正面１２ａ及び背面１２ｂに面して幅広領域を形成する継続メンテナンス領域３６と、幅狭領域を形成する初期メンテナンス領域３８とに区画し、継続メンテナンス領域３６の正面１２ａ及び背面１２ｂを遮蔽するパネル板６４及び７２と、初期メンテナンス領域３８の正面及び背面を遮蔽するパネル板７６及び７８と、初期メンテナンス領域３８に隣接したハウジング側面を遮蔽する側面パネル板２８を着脱自在に取り付けている。これらパネル板の取付け構造は、ボルト結合を極力排除して、ボルトによる損傷及び損傷箇所からの錆の発生を抑制している。【選択図】図１
2012177523.tif 000002
【特許請求の範囲】
【請求項１】
直方体形状をしたハウジング内に圧縮機、凝縮器、膨張器及び空気熱源蒸発器を含むヒートポンプサイクル構成機器を内蔵し、該空気熱源蒸発器を構成する蒸発管群をハウジング側面に面して配置し、該蒸発管群の間に形成された空気流通口とハウジング上壁に設けられた開口との間に空気流を形成する送風機を備えたＣＯ２給湯器において、
ハウジング内を、継続したメンテナンスを要する機器を配置し、ハウジングの正面及び背面に対して幅広領域を形成する継続メンテナンス領域と、初期メンテナンスを要する機器を配置し、ハウジングの正面及び背面に対して幅狭領域を形成する初期メンテナンス領域とに区画し、
継続メンテナンス領域を、ハウジングの正面及び背面に面して一対の前記蒸発管群が配置された上部領域と、平坦面を形成する架台上に継続したメンテナンスを要する機器が配置された下部領域とで構成し、
継続メンテナンス領域の下部領域に面した相対するハウジング正面及び背面と、初期メンテナンス領域に面した相対するハウジング正面及び背面と、初期メンテナンス領域に隣接したハウジング側面とを、夫々別個のパネル板で着脱自在に遮蔽するようにしたことを特徴とするＣＯ２給湯器。
【請求項２】
前記継続メンテナンス領域の下部領域を遮蔽するパネル板は、上端が前記架台の二隅に立設された支柱と、継続メンテナンス領域と初期メンテナンスとを仕切る仕切壁との間に架設された横梁に係止する係止構造を有すると共に、下端部位で該支柱及び該仕切壁にボルト結合されていることを特徴とする請求項１に記載のＣＯ２給湯器。
【請求項３】
前記初期メンテナンス領域を遮蔽するパネル板は、上端がハウジング上壁と、前記架台の二隅に立設された支柱及び継続メンテナンス領域と初期メンテナンスとを仕切る仕切壁との間に形成された隙間に挿入される平坦板状をなし、中間部位に該支柱と該仕切壁とに架設された横梁に係止する係止構造を有すると共に、下端部位で該支柱及び該仕切壁にボルト結合されていることを特徴とする請求項１に記載のＣＯ２給湯器。
【請求項４】
前記ハウジング側面を遮蔽するパネル板は、上端がハウジング上壁と前記架台の二隅に立設された支柱との間に形成された隙間に挿入される平坦板状をなし、中間部位で該支柱に内側からボルト結合されていることを特徴とする請求項１に記載のＣＯ２給湯器。
【請求項５】
前記継続メンテナンス領域に、圧縮機、凝縮器、膨張器、給水ポンプ及び制御盤を含む機器が配置され、該継続メンテナンス領域を遮蔽するハウジング正面及び背面のパネル板は同等幅を有し、
前記初期メンテナンス領域に、冷媒タンク及び電源機器を含む機器が配置され、該初期メンテナンス領域を遮蔽するハウジング正面及び背面のパネル板は同等幅を有していることを特徴とする請求項１〜４のいずれかの項に記載のＣＯ２給湯器。
【発明の詳細な説明】
【技術分野】
【０００１】
本発明は、ハウジングの内部にヒートポンプサイクル構成機器を内蔵したＣＯ２給湯器において、省スペース化を可能とし、ハウジング内に設けられた機器類のメンテナンスを容易にしたＣＯ２給湯器に関する。
【背景技術】
【０００２】
本出願人等は、先に、圧縮機、ガスクーラ（給湯用の水熱交換器）、キャピラリーチューブ、及び蒸発器（空気熱交換器）を備え、ＣＯ２を冷媒としてヒートポンプサイクルを構成し、ＣＯ２を圧縮機の吐出側で超臨界圧を超えた超臨界状態とすることにより、９０℃程度の高温水を供給可能なＣＯ２給湯器を特許出願している（特許文献１）。
【０００３】
特許文献１記載のＣＯ２給湯器は、ハウジング内で架台上に圧縮機、ガスクーラ（給湯用の水熱交換器）、キャピラリーチューブ等の機器類が配設され、パネル形状の空気熱源蒸発器（空気熱交換器）がハウジング側壁の一部として形成され、省スペース化を可能としている。以下、特許文献１に開示されたＣＯ２給湯器の構成を図９及び図１０により説明する。
【０００４】
図９及び図１０に示すように、このＣＯ２給湯器１００のハウジング１０２は、基礎面ｆ上に固定され平坦面を有する架台１０４上に、上下方向に５本の支柱１０６，１０８，１１０、１１２および１１４が立設されている。これら支柱に、形状が異なる大小７枚の遮蔽パネル板１１６，１１８，１２０，１２２，１２４，１２６及び１２８が、ボルトで取り外し可能に取り付けられ、パネル形状に形成された空気熱源蒸発器（空気熱交換器）１３０及び動力制御盤１３２以外のハウジング側壁を構成している。
【０００５】
架台１０４上に、圧縮機１３４、ガスクーラ１３６、冷媒を膨張させるキャピラリーキット１３８、給水ポンプ１４０及び超臨界タンク１４２等が配置され、これら各機器間を接続する冷媒循環路が設けられ、該冷媒循環路にＣＯ２冷媒が循環し、ヒートポンプサイクルを構成している。圧縮機１３４は防音ケース１３５で覆われている。
【０００６】
ハウジング１０２の上壁には、２個の空気排出口１４４が設けられ、空気排出口１４４には、送風機１４６が設けられている。送風機１４６によって、空気熱源蒸発器１３０を構成する蒸発管群の間に設けられた空気流通口から外気ａが導入され、空気排出口１４４から排出される空気流が形成される。空気排出口１４４及び空気熱源蒸発器１３０の外側には、防鳥ネット１４８が設けられている。ハウジング１０２内の構成機器のメンテナンスを行う場合には、前記遮蔽パネルの取付けボルトを緩め、遮蔽パネルを取り外して行う。
【先行技術文献】
【特許文献】
【０００７】
【特許文献１】特開２０１１−２２０７号公開公報
【発明の概要】
【発明が解決しようとする課題】
【０００８】
前述のように、ハウジング１０２内の構成機器のメンテナンス時に、取付けボルトを操作して前記遮蔽パネルの着脱を行う場合には、取付けボルトの磨耗、取付けボルトによるパネルの損傷及び損傷箇所からの錆の発生等の問題がある。また、形状が異なる大小の遮蔽パネルを使用しているので、部品点数が増大し、製造コストが増大するという問題がある。
【０００９】
そこで、本発明は、かかる従来技術の課題に鑑み、給湯ユニットのハウジング内に収納された機器類の保守点検を容易にし、かつハウジングの製造コストを低減することを目的とする。
【課題を解決するための手段】
【００１０】
かかる目的を達成するため、本発明のＣＯ２給湯器は、直方体形状をしたハウジング内に圧縮機、凝縮器、膨張器及び空気熱源蒸発器を含むヒートポンプサイクル構成機器を内蔵し、該空気熱源蒸発器を構成する蒸発管群をハウジング側面に面して配置し、該蒸発管群の間に形成された空気流通口とハウジング上壁に設けられた開口との間に空気流を形成する送風機を備えたＣＯ２給湯器において、ハウジング内を、継続したメンテナンスを要する機器を配置し、ハウジングの正面及び背面に対して幅広領域を形成する継続メンテナンス領域と、初期メンテナンスを要する機器を配置し、ハウジングの正面及び背面に対して幅狭領域を形成する初期メンテナンス領域とに区画し、継続メンテナンス領域を、ハウジングの正面及び背面に面して一対の前記蒸発管群が配置された上部領域と、平坦面を形成する架台上に継続したメンテナンスを要する機器が配置された下部領域とで構成し、継続メンテナンス領域の下部領域に面した相対するハウジング正面及び背面と、初期メンテナンス領域に面した相対するハウジング正面及び背面と、初期メンテナンス領域に隣接したハウジング側面とを、夫々別個のパネル板で着脱自在に遮蔽するようにしたものである。
【００１１】
本発明のＣＯ２給湯器では、継続メンテナンス領域を遮蔽するパネル板を取り外すことで、ハウジングの正面及び背面に大きな開口を形成できる。そのため、継続メンテナンス領域に配置された機器の保守点検が容易になる。初期メンテナンス領域でも、初期メンテナンス領域を遮蔽するパネル板を取り外すことで、初期メンテナンス領域に配置された機器の初期メンテナンスが容易になる。また、前記２つの領域ごとに別個のパネル板を設けているので、各領域ごとに必要な時に保守点検作業を行なうことができる。さらに、各領域の正面及び背面で相対する２つのパネル板を対称形状にできるので、パネル板の部品点数を減少でき、製造コストを低減できる。
【００１２】
また、初期メンテナンス領域を囲む３面の側壁は、容易に開放できるが、初期メンテナンス領域の機器の配置により、初期据付け時において、電源装置等を配置した初期メンテナンス領域側の側壁のみを開放することで初期メンテナンスが可能なため、据付け作業が容易になる。
【００１３】
本発明装置において、継続メンテナンス領域の下部領域を遮蔽するパネル板は、上端が架台の二隅に立設された支柱と、継続メンテナンス領域と初期メンテナンスとを仕切る仕切壁との間に架設された横梁に係止する係止構造を有すると共に、下端部位で該支柱及び該仕切壁にボルト結合されているとよい。これによって、該パネル板の着脱が容易になり、取付け構造を簡素化かつ低コスト化できる。また、取付けに必要なボルト数を低減できると共に、ハウジング外面に露出するボルトの数を激減できるので、見た目も見苦しくなく、かつ取付けボルトによるパネル板の損傷を低減し、損傷箇所から錆が発生するのを抑制できる。
【００１４】
本発明装置において、初期メンテナンス領域を遮蔽するパネル板は、上端がハウジング上壁と、架台の二隅に立設された支柱及び継続メンテナンス領域と初期メンテナンスとを仕切る仕切壁との間に形成された隙間に挿入される平坦板状をなし、中間部位に該支柱と該仕切壁とに架設された横梁に係止する係止構造を有すると共に、下端部位で該支柱及び該仕切壁にボルト結合されているとよい。これによって、該パネル板の着脱が容易になり、取付け構造を簡素化かつ低コスト化できる。また、必要なボルト数を低減できると共に、ハウジング外面に露出するボルトの数を激減できるので、見た目も見苦しくなく、かつ取付けボルトによるパネル板の損傷を低減し、損傷箇所から錆が発生するのを抑制できる。
【００１５】
本発明装置において、ハウジング側面を遮蔽するパネル板は、上端がハウジング上壁と架台の二隅に立設された支柱との間に形成された隙間に挿入される平坦板状をなし、中間部位で該支柱に内側からボルト結合されているとよい。これによって、ハウジング側面の外側に露出するボルトを全くなくすことができるので、見た目も見苦しくなく、かつ取付けボルトによるパネル板の損傷をなくし、損傷箇所から錆が発生するのを防止できる。
【００１６】
本発明装置において、継続メンテナンス領域は、圧縮機、凝縮器、膨張器、給水ポンプ及び制御盤を含む機器が配置され、初期メンテナンス領域は、冷媒タンク及び電源機器を含む機器が配置される。継続メンテナンス領域の正面及び背面の開口を大きく取ることで、これら機器の定期的な保守点検が容易になる。また、継続メンテナンス領域又は初期メンテナンス領域の正面及び背面を遮蔽するパネル板を同等幅とすることで、パネル板の製造が容易になり、製造コストを低減できる。
【発明の効果】
【００１７】
本発明装置によれば、直方体形状をしたハウジング内に圧縮機、凝縮器、膨張器及び空気熱源蒸発器を含むヒートポンプサイクル構成機器を内蔵し、該空気熱源蒸発器を構成するパネル状に形成された蒸発管群をハウジング側面に面して配置し、該蒸発管群の間に形成された空気流通口とハウジング上壁に設けられた開口との間に空気流を形成する送風機を備えたＣＯ２給湯器において、ハウジング内を、継続したメンテナンスを要する機器を配置し、ハウジングの正面及び背面に対して幅広領域を形成する継続メンテナンス領域と、初期メンテナンスを要する機器を配置し、ハウジングの正面及び背面に対して幅狭領域を形成する初期メンテナンス領域とに区画し、継続メンテナンス領域を、ハウジングの正面及び背面に面して一対の前記蒸発管群が配置された上部領域と、平坦面を形成する架台上に継続したメンテナンスを要する機器が配置された下部領域とで構成し、継続メンテナンス領域の下部領域に面した相対するハウジング正面及び背面と、初期メンテナンス領域に面した相対するハウジング正面及び背面と、初期メンテナンス領域に隣接したハウジング側面とを、夫々別個のパネル板で着脱自在に遮蔽するようにしたので、各領域で必要な時個別に保守点検が可能になり、継続メンテナンス領域はハウジングの正面図及び背面に幅広の開口を形成できるので、構成機器類の保守点検が容易になる。また、パネル板の大きさ及び形状を統一でき、パネル板の部品点数を減少でき、製造コストを低減できる。
【図面の簡単な説明】
【００１８】
【図１】本発明装置の一実施形態に係るＣＯ２給湯器の正面視全体斜視図である。
【図２】前記ＣＯ２給湯器の背面視全体斜視図である。
【図３】前記ＣＯ２給湯器の平面図である。
【図４】前記ＣＯ２給湯器で継続メンテナンス領域を遮蔽するパネル板の取付け構造を示す斜視図である。
【図５】前記ＣＯ２給湯器で初期メンテナンス領域を遮蔽するパネル板の取付け構造を示す斜視図である。
【図６】前記ＣＯ２給湯器の一部平面図である。
【図７】前記ＣＯ２給湯器でハウジング側面を遮蔽する側面パネル板の取付け構造を示す斜視図である。
【図８】前記ＣＯ２給湯器の側面パネルをハウジングの内側から視た斜視図である。
【図９】従来のＣＯ２給湯器の正面視斜視図である。
【図１０】図９のＣＯ２給湯器に係り、（ａ）が左側面図、（ｂ）が正面図、（ｃ）が右側面図、（ｄ）が背面図である。
【発明を実施するための形態】
【００１９】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２０】
本発明装置の一実施形態を図１〜図８に基づいて説明する。まず、図１〜図３で本実施形態に係るＣＯ２給湯器１０の全体構成を説明する。ＣＯ２給湯器１０のハウジング１２は直方体をなし、ハウジング１２の内部には、基礎面ｆ上に固定された架台１４が設けられている。架台１４は平坦面を有し、その外縁は長方形をなしている。架台１４上には、四隅に４本の支柱１６，１８，２０及び２２が立設され、ハウジング上面は前記支柱に支持固定された天板２４で構成されている。
【００２１】
ハウジング１２の側面は側面パネル板２６及び２８で遮蔽されている。側面パネル板２６は、ハウジング１２の据付け時に、支柱１６及び２２にボルト結合の手段で結合され、容易に着脱できないようになっている。側面パネル板２８は、後述するように、支柱１８及び２０にハウジング１２の内側からボルト結合されている。
【００２２】
ハウジング１２の正面１２ａ及び背面１２ｂの上部領域に面して、パネル形状に形成された空気熱源蒸発器（空気熱交換器）３０及び３２が配置されている。空気熱源蒸発器３０及び３２は、図９に示すＣＯ２給湯器１００の空気熱源蒸発器１３０と同一の構成を有している。即ち、蒸発管群と採熱フィンとで構成され、蒸発管群の間及び採熱フィンの間に空気流通口が形成されている。空気熱源蒸発器３０，３２は、下端側が上端側よりハウジング１２の内側に配置され、下方に向かって内側に傾斜するように配置されている。空気熱源蒸発器３０，３２の外側には、防鳥ネット３１及び３３が設けられている。
【００２３】
ハウジング１２の内部空間の上部領域は、図３に示すように、仕切壁３４で、継続メンテナンス領域３６と初期メンテナンス領域３８とに仕切られている。継続メンテナンス領域３６は、ハウジング１２の正面１２ａ及び背面１２ｂに対して幅広領域を形成し、継続したメンテナンスを要する機器が配置されている。初期メンテナンス領域３８は、ハウジング１２の正面１２ａ及び背面１２ｂに対して、幅狭領域を形成し、据付け時初期のみメンテナンスを要する機器が配置されている。
【００２４】
図４に示すように、空気熱源蒸発器３０，３２の下方には、支柱２２と仕切壁３４間に横梁４０が水平方向に架設され、横梁４０にドレンパン４２が載置され支持されている。背面１２ｂ側も同様に、支柱１６と仕切壁３４間に横梁及び該横梁に載置されたドレンパン（図示省略）が設けられている。これらドレンパン間に雨水等を集める樋がハウジング１２内に設けられ、この樋に雨水及び蒸発管群で結露した結露水等が集められ、ドレン管（図示省略）を経てハウジング１２外に排出される。
【００２５】
図３において、継続メンテナンス領域３６の架台１４上に、圧縮機４４、ガスクーラ４６及びＣＯ２冷媒を膨張させる膨張弁４８等のヒートポンプサイクル構成機器、及び入水ポンプ５０、動力制御盤５２等、継続してメンテナンスを要する機器が据付け固定されている。また、初期メンテナンス領域３８の架台１４上に、電源装置５４や冷媒タンク５６等の、据付け時初期のみメンテナンスを要する機器が据付け固定されている。これら各機器及び空気熱源蒸発器３０，３２の蒸発管群の間に接続された冷媒循環路（図示省略）が設けられ、ＣＯ２冷媒が該冷媒循環路を循環し、ヒートポンプサイクルを構成している。
【００２６】
ハウジング１２の上面を形成する天板２４には、２個の空気排出口５８が設けられ、各空気排出口５８に送風機６０が設けられている。また、空気排出口５８を覆うように防鳥ネット６２が設けられている。
【００２７】
継続メンテナンス領域３６の正面開口は、幅広のパネル板６４によって遮蔽される。パネル板６４は、鋼製で長方形をなし、正面１２ａに着脱自在に取り付けられる。継続メンテナンス領域３６の背面開口は、幅広で鋼製のパネル板７２で遮蔽される。パネル板７２は、給水管が貫通する固定板７４を回避する部位を除き、略長方形をなす。パネル板６４及びパネル板７２は、同一幅及び同一高さを有し、同一の取付け構造でハウジング１２に着脱自在に取り付けられる。以下、パネル板６４を例に取り、図４によりその取付け構造を説明する。
【００２８】
図４において、パネル板６４の上端６６は、パネル板６４に対して直角に曲折した水平板部６６ａと、該水平板部６６ａに対して斜め下方向前方に曲折された鉤部６６ｂとが一体形成されている。パネル板６４の両側縁は、断面コ字状に曲折されている。一方、ドレンパン４２の端部は上方に盛り上がっており、この盛り上がり部に鉤部６６ｂを係止させることで、パネル板６４の上端６６をハウジング１２に係止できる。パネル板６４の下端は、断面Ｌ形に形成され、厚みのない薄板６８が下方に突出している。そして、薄板６８の両端に孔６８ａ及び６８ｂが穿設されている。
【００２９】
一方、支柱２２の下端には、横方向に向けて受け板２２ａが一体形成され、孔６８ａに相対する位置に、ボルト穴２２ｂが穿設されている。ボルト７０を孔６８ａに通し、ボルト穴２２ｂに螺着させる。また、仕切壁３４の下端にも同一構造の受け板（図示省略）がボルト結合されており、ボルト７０を孔６８ｂに通し、該受け板に穿設されたボルト穴に螺着させる。これによって、パネル板６４の下端をハウジング１２に固定する。パネル板７２もパネル板６４と同様の取付け構造を有し、パネル板７２のハウジング背面１２ｂへの取付けも同様に行なう。
【００３０】
初期メンテナンス領域３８の正面開口は、幅狭の鋼製パネル板７６で遮蔽される。また、初期メンテナンス領域３８の背面開口は、幅狭の鋼製パネル板７８で遮蔽される。パネル板７６及びパネル板７８は、同一幅を有し、ハウジング正面１２ａで、電線等が貫通配置される固定板７７を回避した分だけパネル板７６の長辺が短く形成されている。両パネル板は、同一の取付け構造でハウジング１２に着脱自在に取り付けられる。以下、パネル板７６を例に取って、図５によりその取付け構造を説明する。
【００３１】
図５において、パネル板７６の上端は、断面Ｌ形に形成され、厚みのない薄板７９が突出している。パネル板７６の両側縁は、パネル板６４と同様に断面コ字状に曲折され、パネル板７６の中間部位の背面側には、四角形状をなし、ハウジング側に向かって斜め下方に突出した１個の係止片８０が固着されている。パネル板７６の下端は、断面Ｌ形に形成され、厚みのない薄板８２が下方に突出している。薄板８２の両端部位に孔８２ａが穿設されている。
【００３２】
一方、図６に示すように、支柱１８及び２０の両側に、断面Ｌ形のＬ形片８６が一体形成されている。また、仕切壁３４には、パネル板７６の薄板７９を受ける受板片３４ａが一体形成されている。天板２４の周縁には天板２４を支持し天板２４が固定される天板フレーム８４が設けられ、Ｌ形片８６と天板フレーム８４との間に、隙間ｓが形成されている。
【００３３】
図５に戻り、初期メンテナンス領域３８の中間部位は、支柱２０と仕切壁３４間に水平方向に横梁８８が架設され、横梁８８の前記係止片８０に相対する位置に、互いに直交した四角板からなり、断面Ｌ形を有し、先端部が上方に突出した１個のL形鉤片９０が固着されている。初期メンテナンス領域３８の下端で、固定板７６の上端は、断面Ｌ形に形成され、受け板９２が上方に突出している。受け板９２がＬ形片８６の下端面に接するように配置され、受板９２の両端部位の高さにおけるＬ形片８６及び受板片３４ａには、ボルト穴９２ａが穿設されている。
【００３４】
パネル板７６をハウジング１２に取り付ける場合、まず、上端の薄板７９を隙間ｓに挿入する。次に、パネル板７６を下降させ、係止片８０をL形鉤片９０に係止させる。この状態で、パネル板７６が初期メンテナンス領域３８の開口に位置決めされる。次に、ボルト９４を孔８２ａに通し、ボルト穴９２ａに螺着させる。これで、パネル板７６をハウジング１２に装着できる。
【００３５】
初期メンテナンス領域３８に隣接したハウジング１２の側面を遮蔽する側面パネル板２８は、ハウジング１２の側面に着脱自在に取り付けられる。以下、側面パネル板２８の取付け構造を図７及び図８により説明する。図７において、側面パネル板２８の上端を除く周囲縁部は、断面コ字状に折り返されて一定の厚みを形成している。上端は、断面Ｌ字状に形成され、厚みのない薄板２８ａが上方に突出している。断面コ字状に曲折された両側縁には、上下２個ずつ合計４個のボルト孔９６が穿設されている。また、図８に示すように、該ボルト孔に相対する位置で、Ｌ形片８６に４個の孔９８が穿設されている。
【００３６】
側面パネル板２８をハウジング１２の側面に取り付けるには、パネル板７６及び７８を取り付ける前、即ち、初期メンテナンス領域３８の開口を開放した状態で行なう。まず、側面パネル板２８の上端に形成された薄板２８ａを支柱１８，２０と天板フレーム８４との間に形成された隙間ｓに挿入する。次に、側面パネル板２８を下降し、平坦面が形成された底面２８ｂを平坦な架台１４上に載置する。次に、４個の孔９８にボルト９９を通し、該ボルトをボルト孔９６に螺着させる。これによって、側面パネル板２８をハウジング側面に取り付けることができる。
【００３７】
本実施形態によれば、パネル板６４、７２、７６及び７８を個別に着脱できるので、継続メンテナンス領域３６及び初期メンテナンス領域３８毎に個別に外方に開放でき、特に、継続メンテナンス領域３６は大きな開口を形成できるので、保守点検作業を容易にできる。また、ハウジングの正面１２ａと背面１２ｂとで、相対する位置に略同一形状のパネル板６４及び７２又はパネル板７６及び７８を設けたので、パネル板の部品点数を減少でき、製造コストを低減できる。
【００３８】
また、初期メンテナンス領域３８を囲む３面の側壁は、容易に開放できるが、初期メンテナンス領域の機器の配置により、初期据付け時において、電源装置５４等が配置された初期メンテナンス領域３８側の側面パネル板２８のみを開放することで、初期メンテナンスが可能なため、据付け作業が容易になる。
【００３９】
また、パネル板６４、７２、７６、７８及び側面パネル板２８は、簡単かつ低コストな着脱構造を有しているので、ハウジング１２を低コスト化できる。さらに、これらパネル板の取付けに必要なボルト数を低減できると共に、パネル板外面に露出するボルトの数を激減できるので、見た目も見苦しくなく、かつ取付けボルトによるパネル板の損傷を低減し、損傷箇所から錆が発生するのを抑制できる。
【産業上の利用可能性】
【００４０】
本発明によれば、空気熱源蒸発器を有するＣＯ２給湯器のハウジング内に内蔵された機器類の保守点検を容易にすると共に、ハウジングの製造コストを節減でき、外壁を構成するパネル板の取付けボルト数を低減できる。
【符号の説明】
【００４１】
１０，１００              ＣＯ２給湯器
１２，１０２              ハウジング
１２ａ                    ハウジング正面
１２ｂ                    ハウジング背面
１４，１０４              架台
１６，１８，２０，２２、１０６，１０８，１１０，１１２，１１４    支柱
２２ａ、９２              受け板
２２ｂ、９２ａ            ボルト穴
２４                      天板
２６，２８                側面パネル板
２８ａ、６８，７９、８２    薄板
２８ｂ                    底面
３０，３２，１３０        空気熱源蒸発器
３１，３３、６２、１４８    防鳥ネット
３４                      仕切壁
３４ａ                    受板片
３６                      継続メンテナンス領域
３８                      初期メンテナンス領域
４０、８８                横梁
４２                      ドレンパン
４４，１３４              圧縮機
４６，１３６              ガスクーラ
４８                      キャピラリーチューブ
５０                      入水ポンプ
５２、１３２              動力制御盤
５４                      電源装置
５６                      冷媒タンク
５８，１４４              空気排出口
６０，１４６              送風機
６４，７２，７６、７８    パネル板
６６                      パネル板上端
６６ａ                    水平板部
６６ｂ                    鉤部
６８ａ、６８ｂ、８２ａ、９８    孔
７０，９４，９９          ボルト
７４，７７                固定板
８０                      係止片
８４                      天板フレーム
８６                      Ｌ形片
９０                      Ｌ形鉤片
９２                      受け板
９６                      ボルト孔
１１６、１１８、１２０，１２２，１２４，１２６、１２８    遮蔽パネル板
１３５                    防音ケース
１３８                    キャピラリーキッド
１４０                    給水ポンプ
１４２                    超臨界タンク
ｆ                        基礎面
ｓ                        隙間
【図１】
2012177523.tif 000003
【図２】
2012177523.tif 000004
【図３】
2012177523.tif 000005
【図４】
2012177523.tif 000006
【図５】
2012177523.tif 000007
【図６】
2012177523.tif 000008
【図７】
2012177523.tif 000009
【図８】
2012177523.tif 000010
【図９】
2012177523.tif 000011
【図１０】
2012177523.tif 000012